(57)【要約】【課題】電池を使用することなく駆動電源の供給を行う。【解決手段】リモコン装置１は、利用者が携帯して所持する本体に設けられた操作部３の操作ボタン３ａを押動操作した時にリモコン信号を送信出力するものであり、本体を持ち歩いて移動した際の振動に伴う電磁誘導により生じる電流を充電する発電機構２を備える。この発電機構２の充電による電力は、電子回路部４に駆動電源として供給される。【選択図】図１
2008199787.tif 000002
【特許請求の範囲】
【請求項１】
本体に設けられた操作ボタンの押動操作によってリモコン信号を送信出力するリモコン装置において、
前記本体の振動に伴う電磁誘導により生じる電流を充電する発電機構を備えたことを特徴とするリモコン装置。
【請求項２】
前記発電機構は、コイルと、前記本体の振動によって前記コイルの巻回部内を往復移動可能な金属体と、前記コイル内の前記金属体の往復移動に伴う電磁誘導により生じる電流を充電する蓄電部とを備えたことを特徴とする請求項１記載のリモコン装置。
【発明の詳細な説明】
【技術分野】
【０００１】
本発明は、例えば住宅等の各種建物に採用される電気錠の解錠（施錠も含む）を指示するリモコンキー等のリモコン装置に関し、特に電池が不要で電池切れや電池交換時のトラブルを無くすことができるリモコン装置に関するものである。
【背景技術】
【０００２】
従来、例えば住宅等の各種建物の扉の錠前部分には、不審者の侵入を回避するため、防犯性に富んだ電気錠システムを採用したものが知られている。この種の電気錠システムは、特定の施解錠信号により、例えばモータやソレノイドなどの駆動手段を駆動してデッドボルトを扉枠のストライクの係止穴に対して電気的に進退させることで錠の施解錠を行っている。そして、近年では、通常の鍵穴挿入式の金属製の鍵に代わり、ＩＣチップ内蔵カードや磁気カードなどを利用した施解錠カード、リモコンキーなどの無線通信機を用いて施解錠制御を行う電気錠システムが普及している。そして、この種の電気錠システムとしては、例えば下記特許文献１に開示されるような電気錠システムが知られている。
【０００３】
図２に示すように、特許文献１に開示される電気錠システムは、モニタスイッチ１０５から施錠状態又は解錠状態を示すモニタ信号が電気錠制御回路１０２及び錠状態判定回路１０３に送出される。室外からリモコンキー１０６ａを操作して送信器１０６から送出されたリモコン信号が室外センサ１０７で受信されると、室外センサ１０７から施解錠信号（短時間のパルス）が錠状態判定回路１０３に送られる。錠状態判定回路１０３では、室外センサ１０７からの施解錠信号とモニタスイッチ１０５からのモニタ信号とに基づいて電気錠１０１が室外から施錠されたか、室外から解錠されたかを判定する。表示器１０４は、この判定結果に基づいて在室又は不在室の旨を表示する。上記動作に並行して、送信器１０６の送信に伴う室外センサ１０７からの施解錠信号が電気錠制御回路１０２に与えられる。電気錠制御回路１０２は、施解錠信号が入力されると、モニタスイッチ１０５からのモニタ信号の状態に応じて電気錠１０１を施錠から解錠したり、解錠から施錠に制御している。
【特許文献１】特開平９−３１７２７２号公報
【発明の開示】
【発明が解決しようとする課題】
【０００４】
ところで、この種の電気錠システムに使用される従来のリモコン装置としてのリモコンキーは、利用者が所持する本体に電池を装着したものが主流であり、電池からの駆動電源の供給によって動作するようになっている。
【０００５】
しかしながら、この種の電池使用による従来のリモコンキーでは、使用を繰り返しているうちに突然の電池切れによって電気錠が解錠できないことがあった。また、電池交換の繰り返し作業に伴う経年変化で電池蓋が破損する恐れなどのトラブルがあった。
【０００６】
このように、従来の電池使用によるリモコンキーでは、電池切れや電池交換時にトラブルが発生するという問題があった。
【０００７】
そこで、本発明は上記問題点に鑑みてなされたものであり、従来のような電池切れや電池交換時のトラブルを無くすことができるリモコン装置を提供することを目的とするものである。
【課題を解決するための手段】
【０００８】
上記した目的を達成するために、請求項１に記載されたリモコン装置は、本体に設けられた操作ボタンの押動操作によってリモコン信号を送信出力するリモコン装置において、
前記本体の振動に伴う電磁誘導により生じる電流を充電する発電機構を備えたことを特徴とする。
【０００９】
請求項２に記載されたリモコン装置は、請求項１のリモコン装置において、
前記発電機構は、コイルと、前記本体の振動によって前記コイルの巻回部内を往復移動可能な金属体と、前記コイル内の前記金属体の往復移動に伴う電磁誘導により生じる電流を充電する蓄電部とを備えたことを特徴とする。
【発明の効果】
【００１０】
本発明に係るリモコン装置によれば、従来のような電池切れや電池交換時のトラブルが無くなり、通常の持ち歩きだけで、リモコン操作数回分の発電・充電を行うことができる。そして、この充電された電力を駆動電源としてリモコン装置を動作させることができる。
【発明を実施するための最良の形態】
【００１１】
以下、本発明の最良の形態について、添付した図面を参照しながらそれぞれ詳細に説明する。図１は本発明に係るリモコン装置の実施形態を示す概略構成図である。
【００１２】
本発明に係るリモコン装置は、利用者が携帯して所持するものであって、例えば住宅等の各種建物に採用される電気錠の解錠（施錠も含む）に用いられる。
【００１３】
本例のリモコン装置１は、利用者が本体を携帯して持ち歩いたときの振動によって発電・充電を行う機能を実現するべく、図１に示すように、発電機構２、操作部３、電子回路部４、送信部５を利用者が携帯する不図示の本体に備えて概略構成される。
【００１４】
発電機構２は、不図示の本体の振動に伴う電磁誘導により発電する電流を充電し、この充電による電力を駆動電源として電子回路部４に供給するものであり、コイル２ａ、金属体２ｂ、蓄電部２ｃを備えている。
【００１５】
コイル２ａは、銅線等の線材を螺旋状に中空状に巻いた巻回部２ｄを有し、この巻回部２ｄの両端２ｅ，２ｅが蓄電部２ｃに接続される。金属体２ｂは、例えば鉄などの金属球からなり、利用者が所持する不図示の本体の振動に伴って回転移動するようにコイル２ａの巻回部２ｄ内に設けられる。
【００１６】
その具体的な構成については図示しないが、例えばコイル２ａの巻回部２ｄ内に金属体２ｂを収容し、巻回部２ｄの両端開口を絶縁性を有するストッパ部材などで閉塞して金属体２ｂをコイル２ａの巻回部２ｄ内に閉じ込められるように構成する。
【００１７】
蓄電部２ｃは、コイル２ａに接続されるコンデンサを有し、金属体２ｂがコイル２ａの巻回部２ｄ内を往復移動したときの電磁誘導によってコイル２ａに生じる電流を逐次充電している。また、蓄電部２ｃは、コンデンサに充電された電力を駆動電源として電子回路部４に供給している。
【００１８】
操作部３は、電気錠の解錠を指示するときに押動操作される操作ボタンとしての解錠ボタン３ａを有しており、この解錠ボタン３ａの押動操作に応じた操作信号を電子回路部４に入力している。
【００１９】
尚、本例では、電気錠の解錠時のみ操作部３の操作ボタンを操作するものとして説明しているが、操作部３が解錠ボタン３ａとは別に施錠ボタンも操作ボタンとして有する構成であれば、電気錠の解錠時に解錠ボタン３ａが押動操作され、電気錠の施錠時に施錠ボタンが押動操作される。
【００２０】
電子回路部４は、例えば集積回路（ＩＣ）で構成され、リモコン装置１としての機能を実現している。ここでの電子回路部４は、発電機構２の蓄電部２ｃに充電された電力の供給を受けて動作し、操作部３の解錠ボタン３ａが押動操作されて操作信号が入力されたときに、この操作信号に応じたリモコン信号（電気錠の解錠を指示する解錠指示信号）を送信部５から送信出力するように送信部５を制御している。
【００２１】
送信部５は、信号を送信出力するアンテナ５ａを有しており、電子回路部４の制御によって操作信号に応じたリモコン信号（電気錠の解錠を指示する解錠指示信号）をアンテナ５ａから送信出力している。
【００２２】
上記構成によるリモコン装置１は、利用者が携帯して持ち歩いて移動する間の振動が本体に伝わって発電機構２の金属体２ｂがコイル２ａの巻回部２ｄ内を行き来して移動する。このコイル２ａの巻回部２ｄ内を金属体２ｂが行き来して移動すると、電磁誘導によりコイル２ａに電流が流れて発電する。このコイル２ａに発電した電流は、蓄電部２ｃに逐次蓄電して充電される。そして、蓄電部２ｃに充電された電力は、駆動電源として電子回路部４に供給される。
【００２３】
このように、本例のリモコン装置１は、利用者が携帯して持ち歩いたときの振動によって発電機構２が発電・充電を繰り返し、その際の充電された電力を駆動電源として電子回路部４に供給している。これにより、電池が不要となり、従来のような電池切れや電池交換時のトラブルも一切無くなり、通常の持ち歩きだけで、リモコン操作数回分の発電・充電を行うことができる。そして、この充電された電力を駆動電源としてリモコン装置を動作させることができる。
【００２４】
ところで、上述した実施形態のリモコン装置としては、本体に振動が加えられることで発電・充電を繰り返す構成なので、通常は利用者が携帯して持ち歩き、使用時に電気錠の施解錠を指示するリモコンキーとして説明したが、電気錠の施解錠を指示するリモコンキーのみに限定されるものではない。例えばテレビやオーディオ機器等の各種電子製品を遠隔操作するリモコン装置であっても、外部から振動を加えることで発電・充電を行うことができる。
【図面の簡単な説明】
【００２５】
【図１】本発明に係るリモコン装置の実施形態を示す概略構成図である。
【図２】従来のリモコンキーを用いた電気錠システムの一例を示す図である。
【符号の説明】
【００２６】
１  リモコン装置
２  発電機構
２ａ  コイル
２ｂ  金属体
２ｃ  蓄電部
２ｄ  巻回部
２ｅ  巻回部の両端
３  操作部
３ａ  解錠ボタン（操作ボタン）
４  電子回路部
５  送信部
５ａ  アンテナ
【図１】
2008199787.tif 000003
【図２】
2008199787.tif 000004